(57)【特許請求の範囲】
【請求項１】
歯科吸引装置であって、
内面を有する近位部および内面を有する遠位部を有する内側ハウジング、
内面を有する近位部および内面を有する遠位部を有する外側ハウジング、
真空チャネルを含む、前記内側ハウジングおよび前記外側ハウジングの前記内面の少なくとも１つ、
前記内側ハウジングおよび前記外側ハウジングの前記近位部をヒンジ可能に連結するヒンジ連結機構、および、
前記内側ハウジングおよび前記外側ハウジングの前記遠位部を互いに着脱自在に取り付けるためのロック機構、を備え、
前記内側ハウジングは、実質的にＬ字状の内側ハウジングであり、前記外側ハウジングは、実質的にＬ字状の外側ハウジングである、歯科吸引装置。
【請求項２】
前記ロック機構は、ロック係止部および、前記ロック係止部を着脱自在に受容するロック係止レセプタクルを有するロック係止連結機構を含み、前記ロック係止部およびロック係止レセプタクルは、一緒に前記遠位部を係止するために互いに有効に関連するそれぞれの下方へそして後方へ角度付けられた表面を含む、請求項１に記載の歯科吸引装置。
【請求項３】
前記実質的にＬ字状の内側ハウジングおよび前記実質的にＬ字状の外側ハウジングの前記遠位部の少なくとも１つは、前記遠位部の分離を容易にするためにそこから遠位に延びる１つ以上の突起部を含む、請求項１に記載の歯科吸引装置。
【請求項４】
前記内面は、ソフトライニング被覆であり、前記内面の少なくとも１つは、一緒に前記内面を密封して係合するための真空チャネル間の圧縮可能な封止隆起を含む、請求項１に記載の歯科吸引装置。
【請求項５】
バルブブロックをさらに含み、前記実質的にＬ字状の内側ハウジングおよび前記実質的にＬ字状の外側ハウジングの少なくとも１つは、前記バルブブロックを受容するベースを含む、請求項１に記載の歯科吸引装置。
【請求項６】
前記バルブブロックは、一対の上部真空口および横に配置された孔を含み、前記ベースは、前記バルブブロックの前記横に配置された孔と整列する横に配置された孔を含む、請求項５に記載の歯科吸引装置。
【請求項７】
前記横に配置された孔に受容される実質的に円筒状のバルブ部材、前記横に配置された孔における前記バルブ部材の枢動を制御するためにレバーを含むバルブ制御部、および前記真空チャネルを通して吸引を制御するための真空チャネルと選択的に連通する前記実質的に円筒状のバルブ部材の孔、をさらに含む、請求項６に記載の歯科吸引装置。
【請求項８】
前記実質的にＬ字状の内側ハウジングおよび前記実質的にＬ字状の外側ハウジングの前記近位部の少なくとも１つは、前記実質的にＬ字状の内側ハウジングおよび前記実質的にＬ字状の外側ハウジングを一緒に枢着するための前記横に配置された孔と整列される孔を有する一対の円形のヒンジ部材を含む、請求項７に記載の歯科吸引装置。
【請求項９】
前記実質的にＬ字状の内側ハウジングの前記遠位部は、そこから延びて口内装置の接続部の対応スロットを係合するロック係止部を有する下側を含む、請求項１に記載の歯科吸引装置。
【請求項１０】
前記バルブブロックは、さらなる横方向の孔を含み、前記ベースは、前記バルブブロックの前記さらなる横方向の孔と整列される少なくとも１つのさらなる孔を含み、そして、前記ベースおよび前記バルブブロックを一緒に固定するための前記バルブブロックの前記さらなる横方向の孔および前記ベースの少なくとも１つのさらなる孔において配置されるダウエルピンをさらに含む、請求項７に記載の歯科吸引装置。
【請求項１１】
請求項１０に記載の歯科吸引装置を洗浄する方法であって、
前記バルブブロックの前記さらなる横方向の孔および前記ベースの少なくとも１つのさらなる孔から前記ダウエルピンを取り外すこと、
前記横に配置された孔から前記実質的に円筒状のバルブ部材および前記バルブ制御部を取り外すこと、
前記ベースから前記バルブブロックを分離すること、
前記実質的にＬ字状の外側ハウジングおよび前記実質的にＬ字状の内側ハウジングを互いに分離すること、
前記実質的に円筒状のバルブ部材および前記バルブ制御部、前記バルブブロック、前記実質的にＬ字状の外側ハウジングおよび前記実質的にＬ字状の内側ハウジングを殺菌すること、
を含む、方法。
【請求項１２】
請求項１に記載の歯科吸引装置を洗浄する方法であって、
前記外側ハウジングおよび前記内側ハウジングの前記遠位部を互いに解除すること、
前記真空チャネルが露出するように、前記ヒンジ連結機構に関して前記外側ハウジングおよび前記内側ハウジングを互いに枢動させて、分離させること、
前記真空チャネルを洗浄すること、
を含む、方法。
【請求項１３】
請求項９に記載の歯科吸引装置を使用する方法であって、
前記歯科吸引装置の前記遠位部の上に前記口内装置の前記接続部を摺動させて、前記歯科吸引装置の前記接続部の前記スロットを前記歯科吸引装置の前記遠位部の前記ロック係止部に係合することによって、前記口内装置を前記歯科吸引装置に接続すること、
前記歯科吸引装置を吸込みホースに接続すること、
を含む、方法。
【発明の詳細な説明】
【技術分野】
【０００１】
本発明は、歯科吸引器具に関する。
【背景技術】
【０００２】
患者の口から流体および他の破片を吸い込むために、医学的なおよび歯学的な手順の間、歯科吸引器具は、従来用いられた。特に大学および病院の歯科セッティングにおいてより厳しくなっている殺菌プロトコルについては、破片を集めて、機能を損なうことができる装置の内側の隠れた領域を残して、歯科吸引器具の真空チャネルに破片がたまるので、洗浄、オートクレーブおよび／または殺菌がより容易である歯科吸引器具の必要性は存在する。
【発明の概要】
【課題を解決するための手段】
【０００３】
これらの課題その他を解決するために、本発明は、使い捨ての吸引／収縮マウスピースに取り付け可能な歯科吸引装置を含む。
【０００４】
歯科吸引装置のヒンジが開くので、歯科吸引装置の真空チャネルは、過去に比べて洗浄するのがより容易であり、そしてより静かな吸引も提供する。
【０００５】
本発明の別の態様は、内面を有する近位部および遠位部を有する内側ハウジング、内面を有する近位部および遠位部を有する外側ハウジング、真空チャネルを含む、内側ハウジングおよび外側ハウジングの内面の少なくとも１つ、内側ハウジングおよび外側ハウジングの近位部をヒンジ可能に連結するヒンジ連結機構、および、内側ハウジングおよび外側ハウジングの遠位部を互いに着脱自在に取り付けるためのロック機構、を備える、歯科吸引装置、を含む。
【０００６】
すぐ上に記載された本発明の態様のより多くの実施の１つは、以下の１つ以上を含む：
内側ハウジングは、実質的にＬ字状の内側ハウジングであり、外側ハウジングは、実質的にＬ字状の外側ハウジングである；
ロック機構は、ロック係止部および、ロック係止部を着脱自在に受容するロック係止レセプタクルを有するロック係止連結機構を含み、ロック係止部およびロック係止レセプタクルは、一緒に遠位部を係止するために互いに有効に関連するそれぞれの下方へそして後方へ角度付けられた表面を含む；
実質的にＬ字状の内側ハウジングおよび実質的にＬ字状の外側ハウジングの遠位部の少なくとも１つは、遠位部の分離を容易にするためにそこから遠位に延びる１つ以上の突起部を含む；
内面は、ソフトライニング被覆であり、内面の少なくとも１つは、一緒に内面を密封して係合するための真空チャネル間の圧縮可能な封止隆起を含む；
バルブブロックおよび、実質的にＬ字状の内側ハウジングおよび実質的にＬ字状の外側ハウジングの少なくとも１つは、バルブブロックを受容するベースを含む；
バルブブロックは、一対の上部真空口および横に配置された孔を含み、ベースは、バルブブロックの横に配置された孔と整列する横に配置された孔を含む；
横に配置された孔に受容される実質的に円筒状のバルブ部材、横に配置された孔におけるバルブ部材の枢動を制御するためにレバーを含むバルブ制御部、および真空チャネルを通して吸引を制御するための真空チャネルと選択的に連通する実質的に円筒状のバルブ部材の孔；
実質的にＬ字状の内側ハウジングおよび実質的にＬ字状の外側ハウジングの遠位部の少なくとも１つは、実質的にＬ字状の内側ハウジングおよび実質的にＬ字状の外側ハウジングを一緒に枢着するための横に配置された孔と整列される孔を有する一対の円形のヒンジ部材を含む；
実質的にＬ字状の内側ハウジングの遠位部は、そこから延びて口内装置の接続部の対応スロットを係合するロック係止部を有する下側を含む；
バルブブロックは、さらなる横方向の孔を含み、ベースは、バルブブロックのさらなる横方向の孔と整列される少なくとも１つのさらなる孔を含み、そして、ベースおよびバルブブロックを一緒に固定するためのバルブブロックのさらなる横方向の孔およびベースの少なくとも１つのさらなる孔において配置されるダウエルピンをさらに含む。
【０００７】
本発明のさらなる態様は、バルブブロックのさらなる横方向の孔およびベースの少なくとも１つのさらなる孔からダウエルピンを取り外すステップ；
横に配置された孔から実質的に円筒状のバルブ部材およびバルブ制御部を取り外すステップ；
ベースからバルブブロックを分離するステップ；
実質的にＬ字状の外側ハウジングおよび実質的にＬ字状の内側ハウジングを互いに分離するステップ；
実質的に円筒状のバルブ部材およびバルブ制御部、バルブブロック、実質的にＬ字状の外側ハウジングおよび実質的にＬ字状の内側ハウジングを殺菌するステップ；
を含む、歯科吸引装置を洗浄する方法を含む。
【０００８】
本発明のなおさらなる態様は、外側ハウジングおよび内側ハウジングの遠位部を互いに解除するステップ；
真空チャネルが露出するように、ヒンジ連結機構に関して外側ハウジングおよび内側ハウジングを互いに枢動させて、分離させるステップ；
そして、真空チャネルを洗浄するステップ；
を含む、歯科吸引装置を洗浄する方法を含む。
【０００９】
本発明の別の態様は、歯科吸引装置の遠位部の上に口内装置の接続部を摺動させて、口内吸引装置の接続部のスロットを歯科吸引装置の遠位部のロック係止部に係合することによって、口内装置を歯科吸引装置に接続するステップ；
歯科吸引装置を吸込みホースに接続するステップ；
口内装置を患者の口の中に挿入するステップ；
そして、口内装置および歯科吸引装置を用いて患者の口から流体を吸い込むステップ；
を含む、歯科吸引装置を使用する方法を含む。
【００１０】
本発明の他の特徴および利点は、以下の詳述および添付図面をチェックした後に、当業者にとってより直ちに明らかになる。
【００１１】
本発明の詳細は、その構造および動作に関して、類似の参照番号が類似のパーツを参照する添付図面の研究によって、部分的に収集されてもよい。
【図面の簡単な説明】
【００１２】
【図１】図１は、歯科吸引装置の実施形態の斜視図である。
【図２】図２は、歯科吸引装置の正面図である。
【図３】図３は、歯科吸引装置の背面図である。
【図４】図４は、歯科吸引装置の右側面図である。
【図５】図５は、歯科吸引装置の左側面図である。
【図６】図６は、歯科吸引装置の上面図である。
【図７】図７は、歯科吸引装置の底面図である。
【図８】図８は、歯科吸引装置の分解斜視図である。
【図９】図９は、開いた形状にヒンジされた歯科吸引装置の内側ハウジングおよび外側ハウジングを示す歯科吸引装置の斜視図である。
【図１０】図１０は、歯科吸引アセンブリを形成するために歯科吸引装置とともに使用する口内照明装置の実施形態の右側面図である。
【図１１】図１１は、図１０に示される口内照明装置の背面図である。
【発明を実施するための形態】
【００１３】
図１〜図９に関して、歯科吸引装置１０ならびにその使用および洗浄方法は、記載されている。歯科吸引装置１０は、ヒンジ連結機構６０を介して近位部４０、５０で互いに連結され、そしてロック係止連結機構９０を介して遠位部７０、８０で互いに着脱自在に取り付け可能な、実質的にＬ字状の内側ハウジング２０および実質的にＬ字状の外側ハウジング３０を含む。
【００１４】
内側ハウジング２０は、バルブブロック１１０を受容するベース１００を含む。バルブブロック１１０は、一対の上部真空口１１１ならびに、バルブ制御部１４０、１５０の実質的に円筒状のバルブ部材１２０およびバルブ部材１２０の摩擦・封止Ｏリング１２２、１２３を枢支的に受容する（ベース１００の横に配置された孔１１４、１１６、１１７と整列される）横に配置された孔１１２を含む。バルブ制御部１４０、１５０は、バルブ部材１２０の枢動を制御するためにレバー１６０を含む。バルブ部材１２０は、真空チャネル１８０を通して吸引を制御するための真空チャネル１８０、１９０と選択的に連通するためにそれぞれの孔１７０を含む。バルブブロック１１０およびベース１００は、ベース１００の内部にバルブブロック１１０を接続するためのダウエルピン２２０を受容するそれぞれの孔２００、２１０を含む。バルブブロック１１０は、既存のオフィス吸込みホース３１０に取り付ける真空管コネクタ３２０を含む。
【００１５】
外側ハウジング３０は、外側ハウジング３０を内側ハウジング２０に枢着するための孔１１２、１１４と整列される孔１１６を定める一対の円形のヒンジ部材２２２を含む。外側ハウジング３０の遠位部で、一対の突起部２２４は、ユーザが開いた形状に内側ハウジング２０と関連して外側ハウジング３０を分離させて、持ち上げて、枢動させることができるために、そこから延びる。
【００１６】
真空チァンネル１８０、１９０は、内側ハウジング２０および外側ハウジング３０の内部に担持されるソフトライニング被覆（ｏｖｅｒｍｏｌｄ）２３０、２４０において形成される。被覆２３０、２４０の一方または両方は、内側ハウジング２０および外側ハウジング３０が一緒に閉じるときに、互いに封止して係合する圧縮可能な封止隆起２５０、２６０、２７０を含む。中央の封止隆起２６０は、高くしたシール面を有する。
【００１７】
ロック係止連結機構９０は、内側ハウジング２０および外側ハウジング３０の遠位部７０、８０を一緒に着脱可能に連結するためのロック係止レセプタクル２９０に着脱可能につながるロック係止部２８０を含む。図４、図５および図９に示すように、ロック係止部２８０およびロック係止レセプタクル２９２は、ヒンジ連結機構６０に向かって、外側ハウジング３０および内側ハウジング２０の遠位先端２９６、２９８から下方へそして後方へ傾斜するそれぞれの後方に角度付けられた表面２９２、２９４を含む。一緒に遠位部７０、８０を係止するために、外側ハウジング３０は、図４および図５に示される閉じた形状まで、ヒンジ連結機構６０に関して内側ハウジング２０に対して枢動される。外側ハウジング３０の後方に角度付けられた表面２９２は、内側ハウジング２０の後方に角度付けられた表面２９４に接触して、滑り降りる。そして、遠位部７０、８０を図４および図５に示される閉じて係止された形状に一緒に引き入れる。
【００１８】
加えて、図１０および図１１に関して、内側ハウジング２０の遠位部７０の下側は、使い捨ての口内装置または吸引／収縮マウスピース２００の接続部５７０に歯科吸引装置１０を保持するために、接続部５７０の対応スロット６３０を係合するロック係止部３００を含む。歯科吸引装置１０および接続された口内装置２００は、一緒に、歯科吸引アセンブリを形成する。
【００１９】
歯科吸引装置１０を使用する例示的な方法は、歯科吸引装置１０の遠位部の上の口内装置２００の接続部５７０を摺動させて、口内吸引装置１０の接続部５７０のスロット６３０を歯科吸引装置１０の遠位部のロック係止部３００と係合させることによって、口内装置２００を歯科吸引装置１０に接続すること；歯科吸引装置１０を吸込みホース３１０に接続すること；口内装置２００を患者の口の中に挿入すること；そして、口内装置２００および歯科吸引装置１０を使用して患者の口から流体を吸い込むこと、を含む。
【００２０】
真空チャネル１８０、１９０は、歯科吸引装置１０を通して患者の口から流体を吸い込むための口内装置２００の真空チャネルと連通している。そして、吸込みホース３１０は、バルブブロック１１０の真空管コネクタ３２０に取り付けられる。レバー１６０の制御によって、バルブ制御部１４０、１５０は、口内装置２００の真空チャネルを通る真空力をそれぞれ制御する。
【００２１】
図９に関して、歯科吸引装置１０のヒンジ連結機構６０における漏れを防止するために、歯科吸引装置１０が閉じた構成にあるときに、ヒンジ点３２２の盛り上がった表面は、上部真空口１１１のまわりを封止する。
【００２２】
真空チャネル１８０、１９０のソフトライニング被覆２３０、２４０を洗浄するために、遠位部７０、８０を互いに分離して、枢動させて、図９に示される開いた形状まで内側ハウジング２０に対して外側ハウジング３０を回転させるために、ユーザは、一対の突起部２２４を用いて遠位部７０、８０でロック係止連結機構９０を解除する。開いた形状において、歯科吸引装置１０の真空チャネル１８０、１９０は、露出して、洗浄のために容易に近づきやすい。
【００２３】
すべての構成要素が洗浄されることができて／殺菌されることができて／オートクレーブ処理されることができるように、バルブ制御部１４０、１５０を取り外して、ダウエルピン２２０（ダウエルピン２２０は、修理のためだけに（洗浄でない）取り外される）を取り外して、バルブブロック１１０、内側ハウジング２０および外側ハウジング３０を互いに分離することによって、殺菌／オートクレーブ処理または他の目的のために、歯科吸引装置１０は、容易に分解されてもよい。
【００２４】
上記の図は、本発明のための例示的な構成を表してもよい。そしてそれは、本発明に含まれることができる特徴および機能性を理解する際の助けにされる。本発明は、図示のアーキテクチャまたは構成に制限されなくて、さまざまな代わりのアーキテクチャおよび構成を用いて実施されることができる。加えて、本発明がさまざまな例示的実施形態および実施態様に関して上記されているにもかかわらず、個々の実施形態の１つ以上に記載されたさまざまな特徴および機能性が、しかし代わりに、単独でまたは若干の組合せにおいて、この種の実施形態が記載されたか否かを問わず、そして、この種の特徴が記載された実施形態の一部であるとして発表されたか否かを問わず、本発明の他の実施形態の１つ以上に適用されることができることを理解すべきである。したがって、本発明の広がりおよび範囲は、特に以下のいかなる請求項においても、上記の例示的実施形態のいずれによっても制限されてはならない。
【００２５】
この文書およびその変化において用いる用語および表現は、はっきりと述べられない限り、制限することと対照的に開放端として解釈されなければならない。前述の例として：用語「含む」は、「含むが、これに限定されない」等として読まれなければならない；用語「例」は、その徹底的なまたは制限するリストではなく、考察の項目の例示的な例を提供するために用いる；そして、形容詞、例えば「従来の」、「伝統の」、「標準の」、「周知の」および類似の意味の用語は、所与の期間にまたは所与の時として利用可能な項目に記載される項目を制限するものとして解釈されてはならない。しかし代わりに、現在または将来の任意のときに利用可能でもよくまたは公知でもよい従来の、伝統の、通常の、標準の技術を含むために読まれなければならない。同様に、接続詞「および」で結合される一群の項目は、それらの項目の各々そして全てがその群に存在することを必要とするとして読まれてはならない。しかし、明示的に別段の定めをした場合を除き、「および／または」としてむしろ読まれなければならない。同様に、接続詞「または」で結合される一群の項目は、その群の中の相互の排他性を必要とするとして読まれてはならない。しかし、明示的に別段の定めをした場合を除き、「および／または」としてむしろ読まれなければならない。さらに、開示の項目、要素または構成要素が単数において記載されてもよくまたは請求されてもよいにもかかわらず、単数への制限が明確に述べられない限り、複数はその範囲の中にあるものと考察される。若干の例において、「１つ以上」、「少なくとも」、「制限されない」または他の同様のフレーズのような語句またはフレーズを広げることの存在は、この種の広げるフレーズが無くてもよい例においてより狭い場合が意図されるかまたは必要とされることを意味するために読まれない。
【図１】
0006474385.tif 000002
【図２】
0006474385.tif 000003
【図３】
0006474385.tif 000004
【図４】
0006474385.tif 000005
【図５】
0006474385.tif 000006
【図６】
0006474385.tif 000007
【図７】
0006474385.tif 000008
【図８】
0006474385.tif 000009
【図９】
0006474385.tif 000010
【図１０】
0006474385.tif 000011
【図１１】
0006474385.tif 000012